(57)【特許請求の範囲】
【請求項１】
ベースフィルムの片面に、
アンテナと、前記アンテナに接続するＩＣチップと、
前記アンテナと前記ＩＣチップを覆う表面層と、を有し、
前記ベースフィルムの他面に、
粘着層と、前記粘着層を介してベースフィルムに粘着する剥離層と、
を有するＩＣタグラベルであって、
前記ＩＣタグラベルの隅部の、前記ベースフィルムと前記表面層との間に、引き剥がし部を備えることを特徴とするＩＣタグラベル。
【請求項２】
前記引き剥がし部が、前記アンテナと同じ素材で形成され、前記アンテナと同時に形成されることを特徴とする請求項１に記載のＩＣタグラベル。
【請求項３】
前記引き剥がし部が、前記アンテナと分離していることを特徴とする請求項１または請求項２記載のＩＣタグラベル。
【請求項４】
前記引き剥がし部と、前記アンテナとの間に、切り取り線を有することを特徴とする請求項３記載のＩＣタグラベル。
【請求項５】
前記引き剥がし部が、前記アンテナの一部であることを特徴とする請求項１または請求項２記載のＩＣタグラベル。
【発明の詳細な説明】
【技術分野】
【０００１】
本発明は、粘着層を有し、貼付可能なＩＣタグラベルに関する。
【背景技術】
【０００２】
従来、ＩＣチップを含むインレットに、粘着部を形成し、物品に貼付可能なＩＣタグラベルがある。（例えば、特許文献１参照）。
【０００３】
また、ＩＣタグラベルにミシン目を設け、二つの部分を設定し、一方のＩＣタグラベルのＩＣチップを含む部分の粘着部の粘着力を弱くし、他方のＩＣチップを含まない部分の粘着部の粘着力を強くすることで、いったん貼付したＩＣタグラベルのうち、ＩＣチップを含む部分のみを切り取ることが容易になるＩＣタグラベルがある（例えば、特許文献２参照）。
【０００４】
【特許文献１】特開平１１−１３４４６０号公報
【特許文献２】特開２００１−３９０６０号公報
【発明の開示】
【発明が解決しようとする課題】
【０００５】
しかしながら、ＩＣタグラベルを手作業で物品に貼付する際に、ＩＣタグラベルをシートより剥がすことが手間がかかるという問題点があった。
【０００６】
本発明は、前述した問題点に鑑みてなされたもので、その目的とすることは、シートから剥がしやすいＩＣタグラベルの提供である。
【課題を解決するための手段】
【０００７】
前述した目的を達成するために、第１の発明は、ベースフィルムの片面に、アンテナと、前記アンテナに接続するＩＣチップと、前記アンテナと前記ＩＣチップを覆う表面層と、を有し、前記ベースフィルムの他面に、粘着層と、前記粘着層を介してベースフィルムに粘着する剥離層と、を有するＩＣタグラベルであって、前記ＩＣタグラベルの隅部の、前記ベースフィルムと前記表面層との間に、引き剥がし部を備えることを特徴とするＩＣタグラベルである。
【０００８】
また、前記引き剥がし部が、前記アンテナと同じ素材で形成され、前記アンテナと同時に形成されることが望ましい。
【０００９】
また、前記引き剥がし部が、前記アンテナと分離していることが好ましく、前記引き剥がし部と、前記アンテナとの間に、切り取り線を有することが好ましい。
【００１０】
また、前記引き剥がし部が、前記アンテナの一部であってもよい。
【発明の効果】
【００１１】
本発明により、シートより剥がしやすいＩＣタグラベルを提供できる。
【発明を実施するための最良の形態】
【００１２】
以下図面に基づいて、本発明の実施形態を詳細に説明する。
【００１３】
第１の実施形態に係るＩＣタグラベル１について説明する。
図１は、ＩＣタグラベル１を示す図である。ベースフィルム４上に配設されたアンテナコイル５に、ＩＣチップ７が接続されている。また、ＩＣタグラベル１の隅部には、引き剥がし部９が存在する。なお、図１においては、後述する表面層１１、接着層１３、粘着層１５、剥離シート１７の作図を省略している。
【００１４】
ベースフィルム４は、樹脂フィルムや紙基材を用いることができる。樹脂フィルムとしては、ポリエチレンテレフタレート、テレフタル酸‐シクロヘキサンジメタノール‐エチレングリコール共重合体、ポリプロピレン、ポリエチレン、ポリカーボネート、ポリアミド、ポリフェニレンサルフイド、ポリ塩化ビニル、塩化ビニル‐酢酸ビニル共重合体、セルロースジアセテート、セルローストリアセテート、ポリスチレン、アクリロニトリル‐ブタジエン‐スチレン共重合体、ポリアクリル酸エステル、ポリウレタンなどの素材が使用される。また、紙基材としては、上質紙、コート紙、クラフト紙、グラシン紙、合成紙、ラテックスやメラミン含浸紙などが使用できる。
【００１５】
アンテナコイル５は、ベースフィルム４上にパターン形成されたアルミニウムや銅などの金属の膜からなる平面コイル状のアンテナである。アンテナコイル５は、送信と受信を兼用する。アンテナコイル５の厚さは、２０μｍから１００μｍであることが好ましい。
【００１６】
ＩＣチップ７は、制御部、情報記憶のためのメモリ部、無線通信部などを備える。
【００１７】
引き剥がし部９は、ベースフィルム４上にパターン形成されたアルミニウムや銅などの金属の膜である。形状は、図１に示されたようなホームベース型に似た形状だけでなく、正方形、長方形などでも良い。また、引き剥がし部９の、対角線に対して垂直な方向の幅は６ｍｍから１０ｍｍが好ましく、対角線に沿う方向の幅は５ｍｍから１０ｍｍが好ましい。
【００１８】
引き剥がし部９は、金属の膜からなるため、引き剥がし部９がある隅部は、引き剥がし部９のない隅部よりも剛性が高く、つかみやすい。よって、引き剥がし部９を有する隅部をつかんでＩＣタグラベル１を剥離シート１７より剥がすことは、引き剥がし部９を有しない隅部をつかんで剥がすよりも容易である。
【００１９】
ＩＣタグラベル１での、各部材の積層関係を図２により説明する。図２は、ＩＣタグラベル１の、図１におけるＡ−Ａ断面の概略図である。ベースフィルム４上には、アンテナコイル５が配設され、アンテナコイル５には、ＩＣチップ７が設置される。ＩＣチップ７の上には、接着層１３を介して表面層１１が形成される。また、ベースフィルム４のアンテナコイル５を備えた面とは別の面には、粘着層１５を介して剥離シート１７が設けられる。
【００２０】
表面層１１としては、ベースフィルム４に用いられる材料と同様の材料を用いることができる。
【００２１】
接着層１３を構成する接着剤としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。なお、前記接着剤は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
【００２２】
粘着層１５を構成する粘着材としては、アクリル酸エステル共重合体、ニトリルゴム、天然ゴム、シリコーン粘着剤、ポリ塩化ビニルなどの各種材料およびそれらの水性エマルジョンを使用する。
【００２３】
剥離シート１７は、特に限定されるものではないが、上質紙やグラシン紙に、クレーコーティングやポリエチレンラミネートを行い、シリコーンをコーティングした剥離紙や、ベースフィルム４に用いられる樹脂フィルムの表面にシリコーンをコーティングした樹脂フィルムなどが用いられる。
【００２４】
次に、ＩＣタグラベル１の使用方法の一例を説明する。ＩＣタグラベル１は、ＩＣタグラベル１を複数含むＡ４サイズのＩＣタグラベルシート１９として流通する。需要者はＩＣタグラベルシート１９を、プリンタにより、表面層１１に印刷したり、ＩＣチップ７に情報を書き込んだりする。その後、ＩＣタグラベルシート１９より、需要者が手作業でＩＣタグラベル１を剥離シート１７より剥がし取り、物品に貼付する。
【００２５】
次に、ＩＣタグラベル１の製造方法について、説明する。ＩＣタグラベル１は、ベースフィルム４上に、アンテナコイル５を形成する。アンテナコイル５は、金属箔とベースフィルム４をドライラミネート法によりラミネート後、印刷法によりレジストパターンを形成し、更にケミカルエッチングを行うことにより、形成される。
【００２６】
引き剥がし部９のパターンは、前記レジストパターンを形成する際、アンテナコイル５のパターンと同時に形成され、ケミカルエッチングを行う際には、金属箔が残ることにより形成される。
【００２７】
ＩＣチップ７をアンテナコイル５に設置した後、接着層１３を有する表面層１１をベースフィルム４上のアンテナコイル５とＩＣチップ７とを覆うように貼り合わせ、同様に、粘着層１５を有する剥離シート１７をベースフィルム４に貼り合わせる。その後、ＩＣタグラベル１の形を形成するようにシートに切込みを入れる。
【００２８】
第１の実施形態によれば、引き剥がし部９があるため、ＩＣタグラベル１はＩＣタグラベルシート１９より剥がしやすい。
【００２９】
また、第１の実施形態によれば、引き剥がし部９を設ける工程は、新たに追加されず、アンテナコイル５を形成する際のレジストパターンを変更するのみで対応可能である。また、本来エッチングにて除去される部分を残すのみなので、新たな材料費も追加されない。
【００３０】
また、粘着層１５に再剥離可能な粘着剤を用いることで、ＩＣタグラベル１は、物品への貼付後に、改めて再剥離することができる。
【００３１】
なお、接着層１３とベースフィルム４を接着することで、外界からＩＣタグラベル１に侵入したチリや水分が、ＩＣチップ７まで到達することはない。
【００３２】
次に、第２の実施形態について説明する。
図４は、第２の実施形態にかかる、ＩＣタグラベル２を示す図である。以下の実施形態で第１の実施形態にかかるＩＣタグラベル１と同一の様態を果たす要素には同一の番号を付し、重複した説明は避ける。
【００３３】
ＩＣタグラベル２においては、引き剥がし部９とアンテナコイル５との間に、ミシン目２０が設けられている。
【００３４】
ミシン目２０は、プレス、ザグリ、切り刃による抜きなどの方法で形成する。
【００３５】
貼付後に、ミシン目２０に沿って、引き剥がし部９をＩＣタグラベル２より除去することで、一度物品に貼付したＩＣタグラベル２を剥がしにくくすることができる。
【００３６】
さらに、粘着層に、接着剤を用いることで、貼付後により強固に貼付でき、一度貼付した後は、剥離不可能なＩＣタグラベルとなる。
【００３７】
第２の実施形態によれば、引き剥がし部９があるため、ＩＣタグラベル２はＩＣタグラベルシート１９より剥がしやすい。
【００３８】
また、第２の実施形態によれば、貼付後にミシン目２０に沿って引き剥がし部９を除去することで、ＩＣタグラベル２が物品から剥落することを防ぐことができる。
【００３９】
次に、第３の実施形態について説明する。
図５は、第３の実施形態にかかる、ＩＣタグラベル３を示す図である。
【００４０】
ＩＣタグラベル３においては、アンテナ２１が、第１の実施形態に係るアンテナコイル５とは異なり、ダイポール型のアンテナである。
【００４１】
アンテナ２１は、ベースフィルム４上にパターン形成されたアルミニウムや銅などの金属の膜からなるアンテナである。アンテナ２１は、送信と受信を兼用する。
【００４２】
第３の実施形態によれば、第１の実施形態と同様の効果を奏する。
【００４３】
次に、第４の実施形態について説明する。
図６は、第４の実施形態にかかる、ＩＣタグラベル１０１を示す図である。
【００４４】
ＩＣタグラベル１０１においては、引き剥がし部９が、ＩＣタグラベル１０１の２箇所の隅部に設けられている点が異なる以外は、ＩＣタグラベル１と同様である。
【００４５】
第４の実施形態によれば、第１の実施形態が奏する効果に加えて、引き剥がし部９がＩＣタグラベル１０１の両隅に設けられているため、左右どちらの腕が利き腕であってもはがしやすい。
【００４６】
また、図７のＩＣタグラベル１０２に示すように、四隅に引き剥がし部９を設けてもよい。その場合、シートの上下左右、利き腕の左右を気にせずに、引き剥がし部９を利用できる。
【００４７】
さらに、引き剥がし部９を、対角線上の隅に設置しても良く、四隅のうちの任意の２箇所または任意の３箇所に設置しても良い。
【００４８】
次に、第５の実施形態について説明する。
図８は、第５の実施形態にかかる、ＩＣタグラベル１１１を示す図である。
【００４９】
ＩＣタグラベル１１１においては、引き剥がし部９が、アンテナコイル５と接続している点が異なる以外は、ＩＣタグラベル１と同様である。
【００５０】
第５の実施形態によれば、引き剥がし部９により、ＩＣタグラベル１１１を剥離シート１７より剥がしやすい。また、引き剥がし部９をアンテナコイル５に接続することで、スペースの節約となる。ただし、ベースフィルム４と粘着層１３の界面を、引き剥がし部９から水分が浸潤しやすくなる恐れがある。
【００５１】
なお、引き剥がし部９を、ＩＣタグラベル１１１の４隅のうちの任意の２箇所ないし４箇所に設置しても良い。
【００５２】
次に、第６の実施形態について説明する。
図９は、第６の実施形態にかかる、ＩＣタグラベル１１２を示す図である。
【００５３】
ＩＣタグラベル１１２においては、引き剥がし部９が、アンテナ２１と接続している点が、ＩＣタグラベル２と異なる以外は、ＩＣタグラベル２と同様である。
【００５４】
第６の実施形態によれば、引き剥がし部９により、ＩＣタグラベル１１２を剥離シート１７より剥がしやすい。そのため、手作業で剥がす効率が改善される。
【００５５】
なお、引き剥がし部９を、ＩＣタグラベル１１２の４隅のうちの任意の２ないし４箇所に設置しても良い。
【００５６】
以上、添付図面を参照しながら、本発明にかかるＩＣタグラベルの好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００５７】
【図１】第１の実施の形態に係るＩＣタグラベル１を示す図。
【図２】第１の実施の形態に係るＩＣタグラベル１のＡ−Ａ断面の概略図。
【図３】第１の実施の形態に係るＩＣタグラベルシート１９を示す図。
【図４】第２の実施の形態に係るＩＣタグラベル２を示す図。
【図５】第３の実施の形態に係るＩＣタグラベル３を示す図。
【図６】第４の実施の形態に係るＩＣタグラベル１０１を示す図。
【図７】第４の実施の形態に係るＩＣタグラベル１０２を示す図。
【図８】第５の実施の形態に係るＩＣタグラベル１１１を示す図。
【図９】第６の実施の形態に係るＩＣタグラベル１１２を示す図。
【符号の説明】
【００５８】
１、２、３………ＩＣタグラベル
４………ベースフィルム
５………アンテナコイル
７………ＩＣチップ
９………引き剥がし部
１１………表面層
１３………接着層
１５………粘着層
１７………剥離シート
１９………ＩＣタグラベルシート
２１………アンテナ
１０１，１０２，１１１，１１２………ＩＣタグラベル
【図１】
0005092767.tif 000002
【図２】
0005092767.tif 000003
【図３】
0005092767.tif 000004
【図４】
0005092767.tif 000005
【図５】
0005092767.tif 000006
【図６】
0005092767.tif 000007
【図７】
0005092767.tif 000008
【図８】
0005092767.tif 000009
【図９】
0005092767.tif 000010